(57)【要約】【課題】コンデンサの基板へのはんだ付け、コンデンサと蛍光灯とのはんだ付けを共に不要とし、コンデンサを含めた基板への実装面積を縮小化した蛍光灯用コネクタを提供する。【解決手段】ハウジング３０と、ハウジング３０に軸支され、蛍光灯Ｋをハウジング３０にセットするときの開位置と、セットした蛍光灯Ｋを保持する閉位置とに回動されるアクチュエータ５０と、ハウジング３０に装着され、ハウジング３０に蛍光灯Ｋを保持したとき、蛍光灯Ｋの芯線Ｋｒと接触する蛍光灯用端子４０と、ハウジング３０に凹設され、コンデンサＣが挿抜されるポケット６０と、ハウジング３０に装着され、ポケット６０にコンデンサＣを挿入したとき、コンデンサＣの導通部Ｃｓ１、Ｃｓ２と接触するコンデンサ用端子７０（７０ａ、７０ｂ）とを備えている。【選択図】図３
2009218164.tif 000002
【特許請求の範囲】
【請求項１】
バックライトとしての蛍光灯が取り付けられる蛍光灯用コネクタであって、
ハウジングと、
該ハウジングに軸支され、上記蛍光灯を上記ハウジングにセットするときの開位置と、セットした蛍光灯を保持する閉位置とに回動されるアクチュエータと、
上記ハウジングに装着され、上記ハウジングに上記蛍光灯を保持したとき、その蛍光灯の芯線と接触する蛍光灯用端子と、
上記ハウジングに凹設され、コンデンサが挿抜されるポケットと、
上記ハウジングに装着され、上記ポケットに上記コンデンサを挿入したとき、そのコンデンサの導通部と接触するコンデンサ用端子と
を備えたことを特徴とする蛍光灯用コネクタ。
【請求項２】
上記アクチュエータは、開位置に回動されたとき上記ポケットの開口を開放し、閉位置に回動されたとき上記ポケットの開口を覆う蓋部を有する請求項１に記載の蛍光灯用コネクタ。
【請求項３】
上記ポケットは、上記ハウジングの、上記蛍光灯がセットされる部分よりも上記アクチュエータの回動軸に近い部分に、凹設された請求項１又は２に記載の蛍光灯用コネクタ。
【請求項４】
上記コンデンサ用端子は、上記蛍光灯用端子と一体化された第１コンデンサ用端子と、上記蛍光灯用端子から離間された第２コンデンサ用端子とを有する請求項１〜３いずれかに記載の蛍光灯用コネクタ。
【発明の詳細な説明】
【技術分野】
【０００１】
本発明は、液晶ディスプレイ等にバックライトとして用いられる蛍光灯が装着される蛍光灯用コネクタに係り、特に、コンデンサが装着される蛍光灯用コネクタに関する。
【背景技術】
【０００２】
例えば、液晶テレビのディスプレイの背面には、そこを照射するバックライトとして冷陰極蛍光灯（以下、蛍光灯）が複数配置されている。
【０００３】
この種のバックライト装置は、一般に、複数（例えば２本）の蛍光灯を１個のインバータトランスで点灯させるようにしている（特許文献１）。この場合、共通のインバータトランスから各蛍光灯に供給される電流を安定化するため、インバータトランスと各蛍光灯との間を接続する導線に、コンデンサ（バラストコンデンサ）を各蛍光灯毎に介設している。
【０００４】
具体的には、インバータトランスの一端（高圧側）に接続された導線が蛍光灯の数に応じて分岐され、それら分岐線にコンデンサの一端が夫々はんだ付けされ、それらコンデンサの他端に各蛍光灯の一端（高圧側）から引き出された引出線が夫々はんだ付けされ、各蛍光灯の他端（低圧側）から引き出された引出線が纏められて接地され、インバータトランスの他端（低圧側）に導通されている。
【０００５】
【特許文献１】特開平１０−１７７１７０号公報
【発明の開示】
【発明が解決しようとする課題】
【０００６】
上記バックライト装置においては、インバータトランスと各蛍光灯との間に、蛍光灯の数の分だけのコンデンサを介設する必要がある。従来、それらコンデンサは、夫々基板に実装（はんだ付け）されていた。よって、これらコンデンサの実装スペースにより基板が大型化し、液晶ディスプレイの小型化、薄型化の妨げとなっていた。
【０００７】
また、上記バックライト装置を備えた液晶ディスプレイを生産する際には、蛍光灯の数と同数のコンデンサを基板にはんだ付けし、それらコンデンサに各蛍光灯の一端の引出線をはんだ付けし、各蛍光灯の他端の引出線を基板に接地するはんだ付けをしなければならず、生産性が悪かった。
【０００８】
また、検査工程等で蛍光灯の不点灯が発見された場合、その原因として蛍光灯の不良又はコンデンサの不良が考えられ、蛍光灯又はコンデンサを交換する必要が生じる。コンデンサを交換する場合、コンデンサの基板に対するはんだ付けを外す必要があり、蛍光灯を交換する場合、蛍光灯の一方の引出線とコンデンサとのはんだ付けを外し、蛍光灯の他方の引出線の接地部分のはんだ付けを外す必要がある。これらは極めて煩雑な作業であるため、蛍光灯の不点灯の修復は、実質的には実施し得なかった。
【０００９】
以上の事情を考慮して創案された本発明の目的は、コンデンサの基板へのはんだ付け、コンデンサと蛍光灯とのはんだ付けを共に不要とし、コンデンサ及び蛍光灯の装着及び交換作業が簡単であり、液晶ディスプレイの生産性及びメンテナンス性を飛躍的に向上でき、加えてコンデンサを含めた基板への実装面積を縮小でき、液晶ディスプレイの小型化、薄型化を推進できる蛍光灯用コネクタを提供することにある。
【課題を解決するための手段】
【００１０】
上記目的を達成するために本発明は、バックライトとしての蛍光灯が取り付けられる蛍光灯用コネクタであって、ハウジングと、該ハウジングに軸支され、上記蛍光灯を上記ハウジングにセットするときの開位置と、セットした蛍光灯を保持する閉位置とに回動されるアクチュエータと、上記ハウジングに装着され、上記ハウジングに上記蛍光灯を保持したとき、その蛍光灯の芯線と接触する蛍光灯用端子と、上記ハウジングに凹設され、コンデンサが挿抜されるポケットと、上記ハウジングに装着され、上記ポケットに上記コンデンサを挿入したとき、そのコンデンサの導通部と接触するコンデンサ用端子とを備えたものである。
【００１１】
上記アクチュエータは、開位置に回動されたとき上記ポケットの開口を開放し、閉位置に回動されたとき上記ポケットの開口を覆う蓋部を有することが好ましい。
【００１２】
上記ポケットは、上記ハウジングの、上記蛍光灯がセットされる部分よりも上記アクチュエータの回動軸に近い部分に、凹設されることが好ましい。
【００１３】
上記コンデンサ用端子は、上記蛍光灯用端子と一体化された第１コンデンサ用端子と、上記蛍光灯用端子から離間された第２コンデンサ用端子とを有することが好ましい。
【発明の効果】
【００１４】
本発明に係る蛍光灯用コネクタによれば、コンデンサの基板へのはんだ付け、コンデンサと蛍光灯とのはんだ付けを共に不要とし、コンデンサ及び蛍光灯の装着及び交換作業が簡単であり、液晶ディスプレイの生産性及びメンテナンス性を飛躍的に向上できる。また、コンデンサを含めた基板への実装面積を縮小でき、液晶ディスプレイの小型化、薄型化を推進できる。
【発明を実施するための最良の形態】
【００１５】
以下、本発明の好適実施形態を添付図面に基づいて説明する。
【００１６】
図１は、本実施形態に係る蛍光灯用コネクタ及びそれに装着される蛍光灯とコンデンサとの斜視図であり、図２は、図１の蛍光灯用コネクタにコンデンサを組み込んで蛍光灯を保持した状態の斜視図である。
【００１７】
この蛍光灯用コネクタ２０は、ハウジング３０と、ハウジング３０に軸支されたアクチュエータ５０と、ハウジング３０に装着された蛍光灯用端子４０と、ハウジング３０に凹設されたポケット６０と、ハウジング３０に装着されたコンデンサ用端子７０とを備えている。
【００１８】
ハウジング３０は、略直方体状に形成された基部３５と、基部３５の上面の後部（蛍光灯Ｋがセットされる側を前部とする）に一体成形された後部ブロック３８と、基部３５の上面の中部に一体成形された中部ブロック３９と、基部３５の上面の前部に間隔を隔てて一体成形されたアクチュエータ係止部材３６とを有する。
【００１９】
後部ブロック３８の上面には、コンデンサＣが挿抜されるポケット６０が、下方に窪ませて形成されている。中部ブロック３９の中央には、蛍光灯Ｋの芯線Ｋｒが上方から収容される芯線収容溝３１が形成されており、中部ブロック３９の内部には、蛍光灯用端子４０が収容される端子スリット３２が形成されている。
【００２０】
アクチュエータ係止部材３６は、柱部３６ａとその先端に設けられたフック部３６ｂとを有し、図２に示すようにアクチュエータ５０が下方に閉じられたとき、柱部３６ａが内方に撓んでアクチュエータ５０の下降が許容され、フック部３６ｂがアクチュエータ５０に設けられた被係止部５５と係合し、アクチュエータ５０を閉状態にロックする。これらアクチュエータ係止部材３６と被係止部５５とは、ロック機構を構成する。
【００２１】
図３は、図１に示す蛍光灯用コネクタ２０の分解斜視図である。
【００２２】
アクチュエータ５０は、全体が断面略コ字状に形成されており、一対の後部側壁５６と、それらを繋ぐ天井部５４と、天井部５４に設けられた一対の前部側壁５７とを有する。アクチュエータ５０は、後部側壁５６の内面に設けられた回動軸５２が、ハウジング３０の後部ブロック３８の側面に形成された軸受部３４に軸支され、蛍光灯Ｋをハウジング３０にセットすることを許容する開位置（図１参照）と、セットした蛍光灯Ｋを保持する閉位置（図２参照）との間で回動可能となっている。
【００２３】
すなわち、図１に示すように、アクチュエータ５０を上方に回動させて開位置としたとき、その天井部５４が起立した状態となってハウジング３０の芯線収容溝３１が開放され、図２に示すように、アクチュエータ５０を下方に回動させて閉位置としたとき、天井部５４が芯線収容溝３１を覆い、前部側壁５７の上縁に設けた被係止部５５が、ハウジング３０に設けたアクチュエータ係止部材３６のフック部３６ｂと係合する。
【００２４】
また、アクチュエータ５０は、図１に示す開位置に回動されたとき天井部５４がポケット６０の開口を開放し、図２に示す閉位置に回動されたとき天井部５４でポケット６０の開口を覆う。すなわち、アクチュエータ５０の天井部５４は、アクチュエータ５０の開閉に応じてハウジング３０のポケット６０を開放又は覆う、蓋部（請求項２参照）を構成する。
【００２５】
アクチュエータ５０の天井部５４によって開放又は覆われるポケット６０は、ハウジング３０の、アクチュエータ５０の軸受部３４近傍の部分、すなわちハウジング３０の後部ブロック３８に凹設されている。詳しくは、ポケット６０は、ハウジング３０の、蛍光灯Ｋがセットされる部分（基部３５の前部）よりもアクチュエータ５０の軸受部３４に近い部分（後部ブロック３８）に、凹設されている。
【００２６】
コンデンサＣは、略直方体形状に形成されており、ハウジング３０のポケット６０に挿抜される。コンデンサＣは、その両側部に導通部Ｃｓ１、Ｃｓ２を有し、ハウジング３０のポケット６０に挿入されたとき、一方の導通部Ｃｓ１（図３の右方のもの）が蛍光灯Ｋに導通され、他方の導通部Ｃｓ２（図３の左方のもの）が基板に導通される。
【００２７】
ポケット６０を備えたハウジング３０の基部３５の正面には、圧入溝８１が形成されており、その圧入溝８１には、補強端子８０が圧入固定されている。補強端子８０は、そのテール部８２が基板にはんだ付けされ、蛍光灯用コネクタ２０の実装強度を高める。
【００２８】
このハウジング３０には、蛍光灯用端子４０とコンデンサ用端子７０とが、下方から圧入される。
【００２９】
蛍光灯用端子４０は、平板状の基部４９と、基部４９の左右から上方に延出された一対のアーム部４７と、アーム部４７の外側部に略三角状に形成された被押圧部４６と、アーム部４７に接続され幅方内側に略Ｓ字状に蛇行して形成された蛇行部４２と、蛇行部４２に接続され上方に延出されると共に幅方向外側に傾斜された接触部４１とを有する。左右の接触部４１は、下方から上方に延出される途中で幅方向外側への傾斜角度が急になっており、先端部が逆ハ字状を呈している。基部４９の両端部には矢尻４８が形成されている。接触部４１には、蛍光灯Ｋの芯線Ｋｒが接触される。
【００３０】
コンデンサ用端子７０は、蛍光灯用端子４０と一体化された第１コンデンサ用端子７０ａと、蛍光灯用端子４０から離間された第２コンデンサ用端子７０ｂとからなる。第１コンデンサ用端子７０ａは、コンデンサＣの一方の導通部Ｃｓ１と接触し、コンデンサＣと蛍光灯Ｋとを電気的に接続し基板にはんだ付けされる。第２コンデンサ用端子７０ｂは、コンデンサＣの他方の導通部Ｃｓ２と接触し、コンデンサＣを基板に導通する。
【００３１】
第１コンデンサ用端子７０ａは、蛍光灯用端子４０の基部４９の側端に直角に接続された基部７９ａと、基部７９ａの下部に接続されたテール部７８ａと、基部７９ａの上部から上方に延出されたアーム部７６ａと、アーム部７６ａの先端に設けられた接触部７１ａとを有する。基部７９ａの側端には、矢尻７７ａが形成されている。テール部７８ａは、基板にはんだ付けされ、蛍光灯用端子４０のテール部を兼ねる。アーム部７６ａは、基部７９ａから鉛直に延出された鉛直部と、鉛直部から上方に延出されると共に僅かに幅方向内側に傾斜された傾斜部とを有する。接触部７１ａは、アーム部７６ａから上方に延出されると共に幅方向外側に傾斜されており、コンデンサＣの一方の導通部Ｃｓ１と接触する。
【００３２】
第１コンデンサ用端子７０ａと蛍光灯用端子４０とが一体となったものを、以下、ハイブリッド端子９０という。なお、第１コンデンサ用端子７０ａを、蛍光灯用端子４０と別体としても構わない。この場合、蛍光灯用端子４０には、第１コンデンサ用端子７０ａのテール部７８ａとは別のテール部が必要となる。
【００３３】
第２コンデンサ用端子７０ｂは、平板状の基部７９ｂと、基部７９ｂの下部に接続されたテール部７８ｂと、基部７９ｂの上部から上方に延出されたアーム部７６ｂと、アーム部７６ｂの先端に設けられた接触部７１ｂとを有する。テール部７８ｂは、基板にはんだ付けされる。基部７９ｂの側端には、矢尻７７ｂが形成されている。アーム部７６ｂは、基部７９ｂから鉛直に延出された鉛直部と、鉛直部から上方に延出されると共に僅かに幅方向内側に傾斜された傾斜部とを有する。接触部７１ｂは、アーム部７６ｂから上方に延出されると共に幅方向外側に傾斜されており、コンデンサＣの他方の導通部Ｃｓ２と接触する。
【００３４】
図４は、図１のIV−IV線断面図（蛍光灯Ｋを装着しアクチュエータ５０を閉じた状態）であり、図５は、図１のＶ−Ｖ線断面図（コンデンサＣを挿入しアクチュエータ５０を開いた状態）である。
【００３５】
ハウジング３０の内部には、蛍光灯用端子４０が下方から挿入される蛍光灯用端子圧入溝３３が上下方向に形成され、第１コンデンサ用端子７０ａが下方から挿入される第１コンデンサ用端子圧入溝６８ａが上下方向に形成され、第２コンデンサ用端子７０ｂが下方から挿入される第２コンデンサ用端子圧入溝６８ｂが上下方向に形成されている。蛍光灯用端子圧入溝３３と第１コンデンサ用端子圧入溝６８ａとは上方から見てＬ字状に繋がっており、そこには、蛍光灯用端子４０と第１コンデンサ用端子７０ａとが一体化されたハイブリッド端子９０が下方から圧入される。
【００３６】
図４に示すように、蛍光灯用端子圧入溝３３は、ハウジング３０の中部ブロック３９内に形成された端子スリット３２に繋がっている。この蛍光灯用端子圧入溝３３に、ハイブリッド端子９０の蛍光灯用端子４０の部分が下方から挿入されると、蛍光灯用端子４０の基部４９の矢尻４８が蛍光灯用端子圧入溝３３の内壁に食い込んで固定され、蛍光灯用端子４０のアーム部４７と蛇行部４２と接触部４１とが端子スリット３２内に位置される。
【００３７】
蛍光灯用端子４０のアーム部４７に形成された略三角形状の被押圧部４６は、図１に示すように、端子スリット３２内から中部ブロック３９の側面の外側に突出する。この被押圧部４６は、アクチュエータ５０を閉位置に回動させると、その前部側壁５７によって内方に押圧され、図４に示すように、アーム部４７が内方に撓むことで端子スリット３２内に押し込められる。
【００３８】
蛍光灯用端子４０の接触部４１は、図１に示すように、中部ブロック３９に形成された芯線収容溝３１に臨んでいる。接触部４１は、芯線収容溝３１内に突出していてもよいし、突出していなくても構わない。要は、アクチュエータ５０が開かれてその前部側壁５７が被押圧部４６から離間したとき、蛍光灯Ｋの芯線Ｋｒが無抵抗で上方から芯線収容溝３１内に進入でき、アクチュエータ５０が閉じられてその前部側壁５７が被押圧部４６を押圧したとき、左右の接触部４１で芯線Ｋｒを挟持できればよい。
【００３９】
図５に示すように、第１コンデンサ用端子圧入溝６８ａと第２コンデンサ用端子圧入溝６８ｂとは、ハウジング３０の後部ブロック３８内に、ポケット６０を挟むようにして下方から上方に向けて夫々形成されており、上部にてポケット６０と連通している。
【００４０】
第１コンデンサ用端子圧入溝６８ａにハイブリッド端子９０の第１コンデンサ用端子７０ａの部分が下方から挿入されると、挿入された第１コンデンサ用端子７０ａは、その基部７９ａの矢尻７７ａ（図３参照）が第１コンデンサ用端子圧入溝６８ａの内壁に食い込んで固定され、接触部７１ａがポケット６０内に僅かに突出する。この接触部７１ａには、コンデンサＣの一方の導通部Ｃｓ１が接触する。
【００４１】
第２コンデンサ用端子圧入溝６８ｂに第２コンデンサ用端子７０ｂが下方から挿入されると、挿入された第２コンデンサ用端子７０ｂは、その基部７９ｂの矢尻７７ｂ（図３参照）が第２コンデンサ用端子圧入溝６８ｂの内壁に食い込んで固定され、接触部７１ｂがポケット６０内に僅かに突出する。この接触部７１ｂには、コンデンサＣの他方の導通部Ｃｓ２が接触する。
【００４２】
また、ハウジング３０の内部には、ポケット６０に挿入されるコンデンサＣのストッパとなる台部３０１が形成されている。
【００４３】
本実施形態に係る蛍光灯用コネクタ２０は、図３に示すハウジング３０に、蛍光灯用端子４０と第１コンデンサ用端子７０ａとが一体化されたハイブリッド端子９０を下方から装着し、第２コンデンサ用端子７０ｂを下方から装着し、補強端子８０を下方から装着し、アクチュエータ５０を上方から装着して完成となる。
【００４４】
以上の構成からなる蛍光灯用コネクタ２０に、蛍光灯Ｋ及びコンデンサＣを装着する手順を述べる。
【００４５】
図１に示すように、蛍光灯用コネクタ２０を基板（図示せず）に実装する。すなわち、蛍光灯用コネクタ２０の第１コンデンサ用端子７０ａのテール部７８ａ、第２コンデンサ用端子７０ｂのテール部７８ｂ、補強端子８０のテール部８２を、基板にはんだ付けする。
【００４６】
アクチュエータ５０を開いた状態として、コンデンサＣをポケット６０に挿入する。挿入されたコンデンサＣは、図５に示すように、その一方の導通部Ｃｓ１が第１コンデンサ用端子７０ａの接触部７１ａに接触し、他方の導通部Ｃｓ２が第２コンデンサ用端子７０ｂの接触部７１ｂに接触し、それら接触部７１ａ、７１ｂの間に弾性的に挟持される。このとき、第１コンデンサ用端子７０ａのアーム部７６ａと、第２コンデンサ用端子７０ｂのアーム部７６ｂとは、幅方向外側に撓む。なお、蛍光灯用コネクタ２０を基板に実装する前にコンデンサＣをポケット６０に挿入しておいてもよい。
【００４７】
図１に示すように、蛍光灯Ｋをハウジング３０の上方から下降させ、蛍光灯Ｋの端部Ｋｔをハウジング３０の基部３５のアクチュエータ係止部材３６間に着座させ、蛍光灯Ｋの芯線Ｋｒをハウジング３０の芯線収容溝３１に上方から進入させる。このとき、蛍光灯用端子４０の左右の接触部４１（図３参照）の間隔は、蛍光灯Ｋの芯線Ｋｒの直径以上となっているため、芯線Ｋｒは、無抵抗で芯線収容溝３１に進入できる。
【００４８】
図２に示すように、アクチュエータ５０を閉位置に回動させる。これにより、アクチュエータ５０の天井部５４によってハウジング３０のポケット６０が覆われ、アクチュエータ５０の被係止部５５がハウジング３０のアクチュエータ係止部材３６に係止される。この結果、アクチュエータ５０が閉状態にロックされる。
【００４９】
また、図４に示すように、アクチュエータ５０の前部側壁５７の内面によって蛍光灯用端子４０の被押圧部４６が押圧されてアーム部４７が内方に撓み、左右の接触部４１の間隔が蛍光灯Ｋの芯線Ｋｒの直径以下となり、蛇行部４２が弾性変形し、芯線Ｋｒが左右の接触部４１により挟持される。
【００５０】
これにより、蛍光灯ＫとコンデンサＣの一方の導通部Ｃｓ１とが、ハイブリッド端子９０（図３参照）を介して電気的に接続されて基板に導通され、コンデンサＣの他方の導通部Ｃｓ２が第２コンデンサ用端子７０ｂを介して基板に導通される。
【００５１】
他方、蛍光灯Ｋを取り外すときには、図１に示すように、アクチュエータ５０を開く。これにより、アクチュエータ５０の前部側壁５７が蛍光灯用端子４０の被押圧部４６から離間するので、図３に示す蛍光灯用端子４０のアーム部４７及び蛇行部４２が自然状態に復元し、接触部４１同士の間隔が蛍光灯Ｋの芯線Ｋｒの直径以上となる。よって、蛍光灯Ｋを無抵抗で取り外すことができる。
【００５２】
また、このときアクチュエータ５０の天井部５４がポケット６０を開放するので、ポケット６０からコンデンサＣを取り出すことができる。なお、コンデンサＣは、第１コンデンサ用端子７０ａの接触部７１ａと第２コンデンサ用端子７０ｂの接触部７１ｂとの間に弾性的に挟持されているので、その挟持力を上回る力でポケット６０から引き出す必要がある。
【００５３】
本実施形態に係る蛍光灯用コネクタ２０によれば、次のような効果を発揮できる。
【００５４】
コンデンサＣの基板へのはんだ付け、コンデンサＣと蛍光灯Ｋとのはんだ付けが共に不要であるので、コンデンサＣ及び蛍光灯Ｋの装着及び交換作業が簡単となる。よって、液晶ディスプレイの生産性が向上し、また蛍光灯Ｋの不点灯が検査工程で発見された場合には、蛍光灯Ｋ、コンデンサＣを容易に交換でき、メンテナンス性が向上する。
【００５５】
蛍光灯用コネクタ２０のハウジング３０にコンデンサＣを収容するポケット６０を形成したので、コンデンサＣを含めた基板への実装面積を縮小でき、液晶ディスプレイの小型化、薄型化を推進できる。
【００５６】
アクチュエータ５０を閉位置に回動させて被係止部５５をアクチュエータ係止部材３６に係止させてロックしたとき、アクチュエータ５０の天井部５４がポケット６０の開口を覆うので、コンデンサＣが不意に外れることがない。すなわち、アクチュエータ５５の天井部５４がポケット６０の蓋部となる。
【００５７】
コンデンサＣを収容するポケット６０が、ハウジング３０の後部ブロック３８に形成されており、蛍光灯Ｋの芯線Ｋｒと接触する蛍光灯用端子４０が中部ブロック３９内の端子スリット３２に収容されているので、蛍光灯Ｋのセット又は取り外しに際して、コンデンサＣが邪魔にならない。
【００５８】
蛍光灯用端子４０と第１コネクタ用端子７０ａとを一体化してハイブリッド端子９０とし、テール部７８ａが両端子４０、７０ａのテール部を兼ねるようにしたので、基板へのはんだ付け箇所を減らせることになり、実装作業が容易となる。
【図面の簡単な説明】
【００５９】
【図１】本実施形態に係る蛍光灯用コネクタ及びそれに装着される蛍光灯とコンデンサとの斜視図である。
【図２】図１の蛍光灯用コネクタにコンデンサを組み込んで蛍光灯を保持した状態の斜視図である。
【図３】図１に示す蛍光灯用コネクタの分解斜視図である。
【図４】図１のIV−IV線断面図（蛍光灯Ｋを装着しアクチュエータ５０を閉じた状態）である。
【図５】図１のＶ−Ｖ線断面図（コンデンサＣを挿入しアクチュエータ５０を開いた状態）である。
【符号の説明】
【００６０】
２０  蛍光灯用コネクタ
３０  ハウジング
４０  蛍光灯用端子
５０  アクチュエータ
５４  蓋部としての天井部
６０  ポケット
７０  コンデンサ用端子
７０ａ  一方のコンデンサ用端子
７０ｂ  他方のコンデンサ用端子
９０  ハイブリッド端子
Ｃ  コンデンサ
ＣＳ１  一方の導通部
Ｃｓ２  他方の導通部
Ｋ  蛍光灯
Ｋｒ  芯線
【図１】
2009218164.tif 000003
【図２】
2009218164.tif 000004
【図３】
2009218164.tif 000005
【図４】
2009218164.tif 000006
【図５】
2009218164.tif 000007